【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
有価証券の束（５）を製造している間に処理するための方法であって、
（ａ）行および列のマトリックスに配列された複数の有価証券プリントのアレイを個々に担っているシートのスタック（ＳＳ）を処理して、連続して隣り合わせに配置された有価証券の束（５）を１セットとして、それを連続セット（２）にするステップと、
（ｂ）１つのセット（２）の前記連続する束（５）を積み重ねて配置することによって連続する束（５）の少なくとも１つの中間パイル（８；８＊）を形成するステップと、
（ｃ）前記少なくとも１つの中間パイル（８；８＊）の底から束（５）を１つずつ連続的に放出し、かつ、放出された個々の束（５）を先行して放出された束（５）および／または引き続いて放出される束（５）から所定の間隔を隔てて運搬するステップと
を含む方法。
【請求項２】
ステップｃ）が、前記少なくとも１つの中間パイル（８；８＊）の下方を通り、かつ、前記所定の間隔だけ互いに間隔を隔てた複数のプッシャ部材（２１、２１’）を備えたコンベヤ（２０）によって前記束（５）を放出し、かつ、運搬することを含み、個々のプッシャ部材（２１、２１’）が、前記中間パイル（８；８＊）の底から１つの束（５）を放出し、かつ、運搬するように適合されている、請求項１に記載の方法。
【請求項３】
ステップｂ）が、連続する束（５）の複数の中間パイル（８’）を形成することを含み、個々の中間パイル（８’）が連続する束（５）の１つのセット（１０）に対応し、前記複数の中間パイル（８’）が、ステップｃ）に従って前記複数の中間パイル（８’）のうちの最初の中間パイル（８＊）から前記束が１つずつ連続的に放出され、かつ、運搬される前に、一時的に中間貯蔵領域（２９）に貯蔵される、請求項１または２に記載の方法。
【請求項４】
複数の束スタック（７５）を形成するステップをさらに含み、個々の束スタック（７５）が、前記中間パイル（８；８＊）の底から放出され、かつ、運搬された束（５）が所定の数だけ積み重ねられてなる、請求項１ないし３のいずれか一項に記載の方法。
【請求項５】
複数の束スタック（７５）を形成する前記ステップが、連続する束（５）を交互に１８０度回転させて複数の束スタック（７５）が形成されるように実行される、請求項４に記載の方法。
【請求項６】
複数の束スタック（７５）を形成する前記ステップは、少なくとも１つの束（５）を備えた積み重ね中の束スタック（７５）を、後続する束（５）を前記積み重ね中の束スタック（７５）上へ配置する前に１８０度回転させることを含む、請求項５に記載の方法。
【請求項７】
放出された束（５）の流れから少なくとも１つのサンプル束を取り出し、それにより束（５）の前記流れの中に少なくとも１つの対応する空きスロットを生成するステップと、束（５）の前記流れの中の前記少なくとも１つの対応する空きスロットを充填するために、前記少なくとも１つのサンプル束を置換束と置換するステップとをさらに含む、請求項１または２に記載の方法。
【請求項８】
ステップｂ）に先立って少なくとも１つのサンプル束を取り出し、それにより束の前記流れの中に少なくとも１つの対応する空きスロットを生成するステップと、後でステップｃ）の間に、前記少なくとも１つのサンプル束を束（５）の前記流れの中の前記少なくとも１つの対応する空きスロットに再導入するステップとをさらに含む、請求項１または２に記載の方法。
【請求項９】
束（５）の連続セット（２）のそれぞれは前記シートのスタック（ＳＳ）から処理される有価証券の完全な列または行に対応する、請求項１または２に記載の方法。
【請求項１０】
前記有価証券の束（５）は、銀行券の束である、請求項１または２に記載の方法。
【請求項１１】
請求項１ないし１０のいずれか一項に記載の方法に従って有価証券の束を処理するための束処理システムであって、
−  シートのスタック（ＳＳ）を処理して、連続して隣り合わせに配置された有価証券の束（５）を１セットとして、それを連続セット（２）にするためのシートスタック処理システム（１）と、
−  １つのセット（２）の連続する束（５）を積み重ねて配置することによって連続する束（５）の少なくとも１つの中間パイル（８；８＊）を形成するためのパイル形成手段と、
−  前記少なくとも１つの中間パイル（８；８＊）の底から前記束（５）を１つずつ放出するための放出器と、
−  放出された個々の束（５）を、先行して放出された束（５）および／または引き続いて放出される束（５）から所定の間隔を隔てて運搬するためのコンベヤ（２０）と
を備えたシステム。
【請求項１２】
前記パイル形成手段が、１つのセット（２）の前記連続する束（５）が案内される中間貯蔵コンパートメント（７；７’）に向かって下っている傾斜したランプ（６）を含む、請求項１１に記載のシステム。
【請求項１３】
前記傾斜したランプ（６）の傾斜角度が、調整可能である、請求項１２に記載のシステム。
【請求項１４】
前記コンベヤ（２０）が前記少なくとも１つの中間パイル（８；８＊）の下方を通り、かつ、前記放出器として作用する複数のプッシャ部材（２１、２１’）を備え、プッシャ部材（２１、２１’）が、前記所定の間隔だけ互いに離間し、個々のプッシャ部材（２１、２１’）が、前記中間パイル（８；８＊）の底から１つの束（５）を放出し、かつ、運搬するように適合されている、請求項１１または１２に記載のシステム。
【請求項１５】
前記パイル形成手段が、前記中間パイル（８）を形成するために１つのセット（２）の前記連続する束（５）が案内される中間貯蔵コンパートメント（７）を含み、前記コンベヤ（２０）が前記中間貯蔵コンパートメント（７）の底の部分を通り、かつ、前記放出器として作用する複数のプッシャ部材（２１、２１’）を備え、プッシャ部材（２１、２１’）が、前記所定の間隔だけ互いに離間し、個々のプッシャ部材（２１、２１’）が、前記中間パイル（８）の底から、前記中間貯蔵コンパートメント（７）の底に設けられた横方向の開口（２５）を介して１つの束（５）を放出し、かつ、運搬するように適合されている、請求項１１または１２に記載のシステム。
【請求項１６】
−  連続する束（５）の複数の中間パイル（８’）をそれらの放出および運搬に先立って、貯蔵するための中間貯蔵領域（２９）と、
−  前記中間貯蔵領域（２９）から、前記複数の中間パイル（８’）のうちの最初の中間パイル（８＊）を受け取るように適合された中間貯蔵ポケット（７＊）へ個々の中間パイル（８’）を連続的に給送するためのパイル輸送手段（１６、１７、１８）と
をさらに備え、前記コンベヤ（２０）が前記中間貯蔵ポケット（７＊）の底の部分を通り、かつ、前記放出器として作用する複数のプッシャ部材（２１、２１’）を備え、プッシャ部材（２１、２１’）が、前記所定の間隔だけ互いに離間し、個々のプッシャ部材（２１、２１’）が、前記中間貯蔵ポケット（７＊）に含まれている前記中間パイル（８＊）の底から、前記中間貯蔵ポケット（７＊）の底に設けられた横方向の開口（２５＊）を介して１つの束（５）を放出し、かつ、運搬するように適合されている、請求項１１または１２に記載のシステム。
【請求項１７】
少なくとも１つのサンプル束を束（５）の流れから自動的に取り出し、かつ、前記少なくとも１つのサンプル束を置換束と置換するための束置換手段（３０、４０）をさらに備えた、請求項１１または１２に記載のシステム。
【請求項１８】
前記束置換手段（３０、４０）が、
−  前記コンベヤ（２０）に沿って配置された、前記少なくとも１つのサンプル束を束（５）の前記流れから選択的に取り出すための束アンローディングステーション（３０）と、
−  前記束アンローディングステーション（３０）の下流側に前記コンベヤ（２０）に沿って配置された、束（５）の前記流れの中に少なくとも１つの置換束を選択的に導入するための束ローディングステーション（４０）と
を含む、請求項１７に記載のシステム。
【請求項１９】
前記束置換手段（３０）が、束（５）の前記流れから取り出されたサンプル束を受け取るための少なくとも１つの交換可能な貯蔵コンテナ（３１）を備えている、請求項１８に記載のシステム。
【請求項２０】
前記束ローディングステーション（４０）が、束（５）の前記流れの中に導入するための置換束が入った少なくとも１つの交換可能な供給コンテナ（４１）を備えている、請求項１８または１９に記載のシステム。
【請求項２１】
前に取り出された少なくとも１つのサンプル束を、前記コンベヤ（２０）によって運搬された束（５）の前記流れの中に自動的に再導入するための束挿入ステーション（５０）をさらに備えた、請求項１１または１２に記載のシステム。
【請求項２２】
前記束（５）の上に提供されている通し番号などのマーキングを自動的に読み取るための少なくとも１つのＯＣＲユニット（８５、８６）をさらに備えた、請求項１１または１２に記載のシステム。